(57)【要約】  飲料ディスペンサが開示される。飲料ディスペンサは、炭酸化ポンプと、圧力タンクと、圧力タンク内の圧力が閾値圧力未満に下がるときに、圧力ポンプを作動させるように構成された圧力スイッチと、を備え得る。この圧力スイッチは、圧力タンク内の圧力が上限閾値圧力を上回るときに、炭酸化ポンプを遮断させることができる。本飲料ディスペンサは、炭酸飲料ディスペンサから非炭酸飲料ディスペンサに変換可能であり得る。
2021522117.tif 000002
【特許請求の範囲】
【請求項１】
炭酸飲料ディスペンサを非炭酸飲料ディスペンサに変換する方法であって、前記方法が、
前記飲料ディスペンサから炭酸化タンクを取り外すことと、
圧力タンクを取り付けることであって、前記圧力タンクが、前記飲料ディスペンサの炭酸化ポンプと混合ノズルとの間に流動式に取り付けられる、取り付けることと、
圧力スイッチを取り付けることであって、前記圧力スイッチが、前記圧力タンク内の圧力をモニタリングするように構成されている、取り付けることと、を含み、
前記圧力スイッチは、前記圧力タンク内の前記圧力が下限圧力閾値を下回るときに、前記炭酸化ポンプを作動させるように構成されており、前記圧力スイッチは、前記圧力タンク内の前記圧力が上限圧力閾値を上回るときに、前記炭酸化ポンプを遮断するように構成されている、方法。
【請求項２】
圧力調整器を取り付けることを更に含む、請求項１に記載の方法。
【請求項３】
前記圧力タンクが、ハイドロニューマチックタンクである、請求項１に記載の方法。
【請求項４】
飲料ディスペンサであって、
水供給源及び飲料供給管路に流体結合された炭酸化ポンプと、
前記飲料供給管路に流体結合された圧力タンクと、
前記圧力タンク内の圧力をモニタリングするように構成された圧力スイッチと、
前記飲料供給管路に流体結合された混合ノズルと、を備え、
前記圧力スイッチは、前記圧力タンク内の前記圧力が下限閾値圧力を下回るときに、前記炭酸化ポンプを作動させるように構成されており、前記圧力スイッチは、前記圧力タンクが上限閾値圧力を上回るときに、前記炭酸化ポンプを遮断するように構成されている、飲料ディスペンサ。
【請求項５】
前記混合ノズルにシロップを加えるように構成されたシロップ供給源を更に備える、請求項４に記載の飲料ディスペンサ。
【請求項６】
プリ冷却コイルを更に備える、請求項４に記載の飲料ディスペンサ。
【請求項７】
前記プリ冷却コイルが、前記飲料供給管路と直列である、請求項６に記載の飲料ディスペンサ。
【請求項８】
ポスト冷却コイルを更に備える、請求項６に記載の飲料ディスペンサ。
【請求項９】
電磁弁を更に備え、前記電磁弁が、前記飲料供給管路から前記混合ノズルに飲料を解放するように構成されている、請求項４に記載の飲料ディスペンサ。
【請求項１０】
前記シロップを前記飲料供給管路にポンプ圧送するように構成されたシロップポンプを更に備える、請求項５に記載の飲料ディスペンサ。
【請求項１１】
シロップ冷却コイルを更に備える、請求項４に記載の飲料ディスペンサ。
【請求項１２】
前記混合ノズルに第２のシロップを加えるように構成された第２のシロップ供給源を更に備える、請求項５に記載の飲料ディスペンサ。
【請求項１３】
前記飲料供給管路に流体結合された第２の混合ノズルを更に備える、請求項４に記載の飲料ディスペンサ。
【請求項１４】
前記飲料供給管路と前記混合ノズルとの間に流体結合された電磁弁を更に備える、請求項４に記載の飲料ディスペンサ。
【請求項１５】
前記シロップ冷却コイルと前記混合ノズルとの間に流体結合されたシロップ電磁弁を更に備える、請求項１１に記載の飲料ディスペンサ。
【請求項１６】
非炭酸飲料を注出する方法であって、前記方法が、
圧力タンク内の圧力を高めるように炭酸化ポンプを作動させることであって、前記炭酸化ポンプは、前記圧力タンク内の前記圧力が上限閾値圧力を上回るときに、遮断するように構成されている、作動させることと、
注出機構の作動に応答して、前記圧力タンク内の前記圧力を飲料管路に排出することと、
前記飲料管路から非炭酸飲料を注出することと、を含む、方法。
【請求項１７】
非炭酸飲料の所定の約が、前記注出機構の前記作動に応答して、注出される、請求項１６に記載の方法。
【請求項１８】
前記注出機構の作動に応答して、前記飲料管路にシロップを加えること、を更に含む、請求項１７に記載の方法。
【請求項１９】
前記シロップが、シロップポンプを用いて前記飲料管路に加えられる、請求項１８に記載の方法。
【請求項２０】
前記シロップを、シロップ冷却コイルを通じて経路設定すること、を更に含む、請求項１８に記載の方法。
【発明の詳細な説明】
【技術分野】
【０００１】
本発明の実施形態は、概して、炭酸飲料ディスペンサ及び非炭酸飲料ディスペンサを含む飲料ディスペンサに関する。
【発明の概要】
【０００２】
開示されるいくつかの実施形態によれば、炭酸飲料ディスペンサを非炭酸飲料ディスペンサに変換する方法は、飲料ディスペンサとの流体連通から炭酸化タンクを取り外し、圧力タンクを取り付けることを含む。この圧力タンクは、飲料ディスペンサの炭酸化ポンプ及び混合ノズルと流体連通して取り付けられ得る。混合ノズルは、飲料ディスペンサから飲料を注出することができる。圧力スイッチはまた、圧力タンク内の圧力をモニタリングするために取り付けることもできる。圧力スイッチは、圧力タンク内の圧力が下限閾値圧力を下回るときに、炭酸化ポンプを作動させることができる。圧力スイッチはまた、圧力が増加して上限閾値圧力を上回ると、炭酸化ポンプを遮断させることもできる。圧力調整器はまた、飲料供給管路内の圧力を調整するために、取り付けることもできる。圧力タンクは、ハイドロニューマチックタンクであってもよい。
【０００３】
いくつかの実施形態による飲料ディスペンサは、飲料供給管路によって水供給源に流体結合された炭酸化ポンプを含み得る。圧力タンクは、圧力スイッチによってモニタリングされ、飲料供給管路に流体結合され得る。混合ノズルは、飲料供給管路の一端に配置され得る。圧力スイッチは、圧力タンク内の圧力をモニタリングすることができる。圧力スイッチは、圧力タンク内の圧力が下限閾値圧力を下回るときに、圧力タンク内の圧力を高めるために炭酸化ポンプを作動させることができ、圧力タンク内の圧力が上限圧力閾値を上回るときに、遮断することができる。
【０００４】
飲料ディスペンサはまた、混合ノズルにシロップを加えるように構成されたシロップ供給源を備えることもできる。プリ冷却コイル及びポスト冷却コイルは、飲料供給管路と直列であり得、飲料が注出される前にその飲料の温度を冷やすことができる。この飲料ディスペンサは、飲料供給管路から混合ノズルに水を解放するように構成された電磁弁を含み得る。この電磁弁はまた、混合ノズルにシロップを解放することもできる。このシロップは、シロップポンプを使用して、シロップ供給源からポンプ圧送され得る。シロップはまた、混合ノズルに解放される前に、シロップ冷却コイルを通って移動することもできる。このシロップ冷却コイルは、シロップが混合ノズルに加えられる前にシロップの温度を下げることができるため、より冷たい飲料がユーザに注出され得る。いくつかの実施形態によれば、第２のシロップ供給源が、飲料ディスペンサに加えられ得る。この第２のシロップ供給源は、第１のシロップ供給源とほぼ同じように、飲料ディスペンサ中に一体化することができる。追加のシロップ供給源を加えることもできる。
【０００５】
いくつかの実施形態によれば、１つ以上の混合ノズルが、飲料ディスペンサと共に使用することができる。各ノズルは、それ自体が所有するシロップ供給源を有することができる。また、シロップ供給源は、１つ以上の混合ノズルにも供することができる。
【０００６】
いくつかの実施形態によれば、炭酸飲料ディスペンサから非炭酸飲料を注出する方法は、炭酸化ポンプを作動させて圧力タンク内の圧力を高めることを含む。この炭酸化ポンプは、圧力タンク内の圧力が上限閾値圧力を上回るときに、遮断するように構成され得る。いくつかの実施形態では、圧力タンクは、ユーザが飲料ディスペンサの注出機構を作動させることに応答して、圧力を飲料供給管路内に排出することができる。注出機構を作動させることにより、飲料ディスペンサから飲料を解放する。
【０００７】
飲料を注出する方法はまた、飲料ディスペンサから所定の量又は体積の飲料を注出することも含む。方法はまた、ユーザが注出機構を作動させることに応答して、飲料供給管路にシロップを加えることを含むこともできる。シロップは、シロップポンプを用いて加えることができる。シロップは、シロップ冷却コイルを通して経路設定されて、シロップの温度を下げることができる。
【図面の簡単な説明】
【０００８】
開示は、添付図面と共に以下の詳細な説明により容易に理解され得、その際、同様の参照番号は同様の構造的要素を示す。
【０００９】
【図１】いくつかの実施形態による、炭酸飲料ディスペンサの概略図を示す。
【００１０】
【図２】いくつかの実施形態による、非炭酸飲料ディスペンサの概略図を示す。
【００１１】
【図３】いくつかの実施形態による、非炭酸飲料ディスペンサの概略図を示す。
【００１２】
【図４】いくつかの実施形態による、非炭酸飲料ディスペンサの概略図を示す。
【００１３】
【図５】いくつかの実施形態による、炭酸飲料ディスペンサから非炭酸飲料ディスペンサに変換される飲料ディスペンサから飲料を注出する方法を例示するフローチャートである。
【００１４】
【図６】いくつかの実施形態による、飲料注出システムの斜視図を示す。
【発明を実施するための形態】
【００１５】
以降に、代表的な実施形態を詳細に参照する。いくつかの実施形態は、添付図面に例示される。以下の説明は、複数の実施形態を１つの好ましい実施形態に限定することを意図されてはいないことを理解されたい。それに対して、本発明は、特許請求の範囲によって定義される実施形態の趣旨及び範囲の範囲内に含まれ得る代替物、変形物、及び均等物を包含することを意図している。
【００１６】
本開示は、飲料注出システム、及び飲料を注出する方法を対象とする。飲料ディスペンサは、場内売り場、コンビニエンスステーション、及びレストランを含む多種多様な設置場所で使用される。飲料ディスペンサは、飲料成分を貯蔵及び混合を行う経済的かつ視覚的に魅力的な方法である。多種多様な飲料製品には、以下に限定されないが、炭酸飲料、非炭酸飲料、ジュース、風味水、及びその他のものが含まれ、これらは、飲料ディスペンサから注出することができる。炭酸飲料には、例えば、Ｐｅｐｓｉ（登録商標）などのソフトドリンクが含まれ得る。非炭酸飲料には、アイスティー、例えば、ＰｕｒｅＬｅａｆ（登録商標）などの紅茶が含まれ得る。
【００１７】
飲料ディスペンサは、飲料を調製するためのいくつかの構成要素を含むことができる。これらの構成要素は、注出される飲料の種類、又は特定の飲料に応じて、異なり得る。例えば、炭酸飲料ディスペンサは、炭酸化タンク及び炭酸化ポンプを必要とし得る。飲料ディスペンサは、注出される飲料製品に特有の成分を必要とするため、飲料ディスペンサの操作者は、元来１つの種類の飲料製品のために意図された飲料ディスペンサを、別の種類の飲料と一緒に使用するために適用させるための選択肢を比較的限定してきた可能性がある。
【００１８】
飲料成分には、とりわけ、水、シロップ、及び二酸化炭素ガスが含まれ得る。飲料ディスペンサは、飲料成分を組み合わせて、飲料を作製することができる。飲料ディスペンサはまた、飲料ユーザにカスタマイズのレベルを提供することもできる。例えば、２つ以上のシロップが、飲料に加えられる場合がある。例えば、ベースの風味シロップを水に加えて、飲料を作製する場合がある。ベースの風味は、例えば、レモンライム風味であってもよい。第２の風味シロップをその飲料に加えて、注出される飲料の味を変えることができる。例えば、ユーザは、さくらんぼ風味を加えて、注出される飲料を変化させ又はカスタマイズすることができる。
【００１９】
炭酸飲料ディスペンサは、炭酸飲料の飲料成分を組み合わせるための特定の構成要素を含むことができる。炭酸飲料は、二酸化炭素ガスを吹き込んだ水、及びシロップを用いて、作製することができる。この炭酸飲料は、炭酸化供給源、水供給源、及びシロップ供給源を含む飲料ディスペンサから注出されてもよい。炭酸化供給源は、例えば、圧縮された二酸化炭素ガスのキャニスタであってもよい。水供給源は、例えば、都市給水などに接続された給水栓であってもよい。
【００２０】
図１は、いくつかの実施形態による、炭酸飲料ディスペンサ１００の概略図を示す。炭酸飲料ディスペンサ１００は、飲料供給管路１０２を備える。飲料供給管路１０２は、炭酸飲料ディスペンサ１００の構成要素を互いに流体結合する。飲料供給管路１０２上に示される矢印は、飲料ディスペンサ内の飲料成分が移動する方向を示す。図１に示すように、飲料供給管路１０２は、水供給源１０４に流体結合されている。飲料供給管路１０２は、混合ノズル１５４で終端する。混合ノズル１５４は、炭酸飲料ディスペンサ１００から炭酸飲料を注出する。混合ノズル１５４はまた、炭酸飲料が注出されるときに、飲料成分を一緒に混合することができる。
【００２１】
飲料ディスペンサは、飲料ディスペンサを通して、飲料又は飲料成分を駆動するためのポンプ又は他の機構を必要とする。炭酸飲料ディスペンサでは、炭酸化ポンプは、飲料ディスペンサを介して飲料を駆動する。炭酸飲料ディスペンサでは、炭酸化ポンプが、炭酸化タンクに水をポンプ圧送する。この炭酸化タンクは、二酸化炭素ガスを炭酸化タンクに供給するための二酸化炭素供給源に接続されている。二酸化炭素ガス及び水が炭酸化タンク内に存在すると、二酸化炭素ガスは、水の中に拡散して炭酸水を形成する。炭酸化タンクは、水を炭酸塩化するだけでなく、タンクが加圧されているため、この圧力タンクはまた、飲料ディスペンサから飲料を押し出すようにも作用する。
【００２２】
炭酸化ポンプは、飲料ディスペンサのユーザが注出機構を従事させるときに、動作することができる。注出機構は、飲料ディスペンサの混合ノズルの下に配置され得る。注出機構は、レバー、ボタン、又は他のユーザインターフェースデバイスであってもよい。作動機構は、飲料ディスペンサの１つ以上の弁を開放して、ユーザに飲料を注出する。
【００２３】
図１に示すように、炭酸飲料ディスペンサ１００は、炭酸化ポンプ１０６を備える。炭酸化ポンプ１０６は、水供給源１０４から飲料供給管路１０２を介して炭酸化タンク１１０に飲料を駆動する。水が炭酸化タンク１１０に到達する前に、水は、他の構成要素を通って経路設定されてもよい。例えば、図１に示すように、水は、プリ冷却コイル１０８を移動してもよい。プリ冷却コイル１０８は、水が炭酸化タンク１１０に到達する前に、水の温度を下げる。この追加の冷却工程は、飲料を注出するためのより多くの温度選択肢を操作者に与える。
【００２４】
炭酸化ポンプ１０６はまた、二酸化炭素ガスを炭酸化タンク１１０にポンプ圧送する。図１は、炭酸化タンク１１０に動作可能に結合された二酸化炭素ガス供給源１０９を示す。水及び二酸化炭素ガスが炭酸化タンク内にポンプ圧送されると、二酸化炭素ガスは、水の中で溶解されて、炭酸水を作り出す。炭酸水は、飲料供給管路１０２を通って炭酸化タンク１１０を出発する。いくつかの実施形態では、炭酸水は、注出する前に炭酸水の温度を下げるポスト冷却コイル１５０を通って移動することができる。飲料供給管路１０２に流体結合されたソレノイド値１５２は、飲料供給管路１０２から混合ノズル１５４に炭酸水を解放する。混合ノズル１５４は、炭酸水及びシロップなどの飲料成分を混合し、ユーザに出来合いの飲料を注出する。
【００２５】
飲料供給管路１０２によって供給される水に加えて、シロップシステムはまた、シロップを飲料に供給することもできる。図１に示すように、シロップシステムは、シロップ供給源１６２を含む。シロップポンプ１６０が、シロップ供給源１６２からシロップ供給管路１７０を通ってシロップ電磁弁１５６にシロップをポンプ圧送する。シロップ電磁弁１５６は、測定された量のシロップを混合ノズル１５４に注出する。いくつかの実施形態では、シロップはまた、シロップ冷却コイルを通って経路設定されて、シロップの温度を下げることができる。混合ノズル１５４から注出される飲料は、飲料供給管路１０２からの水、及びシロップとの混合物である。
【００２６】
いくつかの実施形態による炭酸飲料ディスペンサは、非炭酸飲料ディスペンサに変換することができる。いくつかの方法によれば、炭酸飲料ディスペンサは、飲料ディスペンサから炭酸化タンクを取り外すことによって、非炭酸飲料ディスペンサに変換することができる。炭酸化タンクは、例えば、飲料供給管路から炭酸化タンクを切り離し、飲料ディスペンサのハウジングから炭酸化タンクを取り除くことによって、飲料ディスペンサから物理的に取り外すことができ、又は炭酸化タンクは、飲料ディスペンサから動作可能に取り外すことができる。炭酸化タンクは、炭酸化タンクと飲料供給管路との間に流動式に配置された遮断弁又はフレックス弁によって、飲料ディスペンサを動作可能に取り外すことができる。
【００２７】
図２は、いくつかの実施形態による、飲料ディスペンサ２００の概略図を示す。飲料ディスペンサ２００は、図１に示した実施形態などの変換された炭酸飲料ディスペンサであり得る。したがって、飲料ディスペンサ２００の構成要素は、飲料ディスペンサ１００の構成要素と同様である。
【００２８】
炭酸飲料ディスペンサを非炭酸飲料ディスペンサに変換する方法は、飲料ディスペンサ内に圧力タンクを取り付けることを含み得る。圧力タンクは、飲料ディスペンサの混合ノズルと、炭酸化ポンプとの間の飲料供給管路に流体結合され得る。圧力タンクは、遮断弁又はフレックス弁を用いて、飲料供給管路に流体接続することができる。遮断弁又はフレックス弁を使用して、操作者は、圧力タンクを取り付ける又は取り外すことなく、飲料供給管路から圧力タンクを迅速に追加する又は取り外すことができる。
【００２９】
動作中、変換された非炭酸飲料ディスペンサは、炭酸化ポンプを使用して、圧力タンクの圧力を高める。圧力タンクは、圧力タンクの第１及び第２のチャンバを分離するダイヤフラムを含む。第１のチャンバは、飲料供給管路１０２に流体結合され得、第２のチャンバは、閉鎖され、例えば、空気などの圧縮性流体を含む。炭酸化ポンプが作動して電磁弁１５２が閉まると、炭酸化ポンプは、水を圧力タンクの第１のチャンバ内にポンプ圧送する。より多くの水が第１のチャンバに入ると、ダイヤフラムは、タンクの第２のチャンバ内に変位する。したがって、このダイヤフラムは、システムを加圧する。それゆえに、炭酸化ポンプがオフである場合であっても、圧力タンクが飲料ディスペンサを介して水を押しているため、飲料は、依然として飲料ディスペンサから注出することができる。
【００３０】
図１及び図２に示すように、炭酸飲料ディスペンサは、炭酸化タンク１１０を取り外し、そして圧力タンク２０４を加えることによって、非炭酸飲料ディスペンサに変換することができる。圧力タンク２０４は、第１のチャンバ２１０及び第２のチャンバ２１２を分離するダイヤフラム２０６を含む。第１のチャンバ２１０は、飲料供給管路１０２に流体結合されている。炭酸化ポンプ１０６を作動させることにより、水供給源１０４から圧力タンク２０４の第１のチャンバ２１０に水を押し出す。水が圧力タンク２０４の第１のチャンバ２１０に加えられると、ダイヤフラム２０６は、第２のチャンバ２１２内に変位する。これにより、第２のチャンバ２１２内の流体の圧力を高めることによって、ダイヤフラム２０６の位置エネルギーが上昇する。第２のチャンバ２１２内の流体は、空気、窒素、又は同様の圧縮性流体であってもよい。このように、圧力タンク２０４は、ハイドロニューマチックタンクである。図２は、ダイヤフラム２０６の変位を表す線２０８を示す。したがって、飲料ディスペンサのユーザが注出機構を作動させて飲料を解放すると、第２のチャンバ２１２内の加圧された流体、及びダイヤフラム２０６内の固有の張力は、飲料供給管路１０２を通って水を前進させ、混合ノズル１５４を通って排出される。
【００３１】
注出機構は、混合ノズル１５４に一体化されてもよい。注出機構は、機械的トグル又は電気信号によって作動されてもよい。例えば、操作者は、選択肢のメニューから飲料サイズ選択肢を選択することができる。選択されたサイズに応じて、混合ノズル１５４は、特定体積の飲料を注出することができる。例えば、操作者が「Ｌａｒｇｅ」とラベル付けされたボタンを選択する場合、１６流体オンスの飲料を注出することができる。操作者が「Ｓｍａｌｌ」とラベル付けされたボタンを選択する場合、８流体オンスの飲料を注出することができる。
【００３２】
圧力タンク２０４内の圧力は、圧力スイッチ２０２によってモニタリングすることができる。圧力スイッチ２０２はまた、炭酸化ポンプ１０６に動作可能に結合することもできる。圧力スイッチ２０２は、炭酸化ポンプ１０６を動作させるように構成されてもよい。いくつかの実施形態によれば、圧力スイッチ２０２は、圧力タンク２０４内の圧力が下限閾値圧力を下回るときに、炭酸化ポンプ１０６をスイッチオンすることができる。圧力スイッチ２０２は、圧力タンク２０４内の圧力が上限閾値圧力を上回るときに、炭酸化ポンプ１０６を遮断することができる。図５は、圧力タンク内の加圧をモニタリングし、それに応じて圧力を調整する方法を例示するフローチャートを示す。
【００３３】
図３は、本開示による一実施形態を示す。飲料供給管路１０２は、接合部３０６において、炭酸飲料供給管路３１０及び非炭酸飲料供給管路３２０に分岐する。炭酸飲料供給管路３１０は、電磁弁１５２及び炭酸化タンク１１０を有する。炭酸飲料供給管路３１０は、従来の炭酸飲料ディスペンサと同様に動作する。水が、炭酸化タンク１１０に入って、そこでは、二酸化炭素ガスが水の中に拡散して炭酸水を形成する。次いで、炭酸水は、混合ノズル１５４を通って、炭酸飲料として注出することができる。図３に示した飲料ディスペンサ３００はまた、フレックス弁３０２も備える。フレックス弁３０２は、非炭酸飲料供給管路３２０、炭酸水前後送り管路３０４、及び第２の混合ノズル１５５に流体結合されている。フレックス弁３０２により、飲料ディスペンサ３００の操作者が第２の混合ノズル１５５のための水供給源を選択することを可能にする。１つの動作モードでは、フレックス弁３０２は、炭酸水前後送り管路３０４を介して、炭酸飲料供給管路３１０から炭酸水を供給する。このモードでは、第２の混合ノズル１５５が、炭酸飲料を注出する。別の動作モードでは、フレックス弁３０２は、非炭酸飲料供給管路３２０から非炭酸水を供給する。このモードでは、第２の混合ノズル１５５が、非炭酸飲料を注出する。
【００３４】
図４は、いくつかの実施形態による飲料ディスペンサ３００を示す。飲料ディスペンサ３００は、図１〜図３を参照して開示及び説明された構成要素と同様の構成要素を有することができる。図４は、炭酸化ポンプ１０６を備える飲料ディスペンサ３００を示す。炭酸化ポンプ１０６は、飲料供給管路１０２を介して、接合部３０６に水を駆動する。炭酸化ポンプ１０６はまた、水を中に駆動する。
【００３５】
図５に示すように、この方法は、圧力タンク５０２内の圧力を判定することを含むことができる。圧力タンク内の圧力は、下限閾値圧力５０６と比較される５０４。タンク内の圧力が下限閾値圧力５０６を下回る場合、この方法は、炭酸化ポンプを作動させることを含むことができる５０８。圧力タンク内の圧力は、炭酸化ポンプが稼働しているときに、モニタリングされ続けることができる。圧力タンク内の圧力は、連続的に、上限閾値圧力５１２と比較されることができる。タンク内の圧力が上限閾値圧力５１２を上回るとき（上限閾値比較５１０）、炭酸化ポンプは、遮断することができる５１４。このプロセスは、無期限に継続することができるため、炭酸化タンク内の圧力は、飲料の注出に十分な圧力を有する飲料ディスペンサを提供するのに、十分残っている。
【００３６】
いくつかの実施形態では、上限閾値圧力５１２は、圧力タンクの上限圧力限界付近の圧力であってもよい。下限閾値圧力５０６は、飲料ディスペンサを動作させるのに必要とされる最小圧力を上回ってもよい。いくつかの実施形態では、炭酸化ポンプ１０６を断続的に動作させることのみが必要であってもよい。圧力タンク内の圧力を放出する必要があるときにのみ炭酸化ポンプ１０６を動作させることは、炭酸化ポンプ１０６により生成された過剰エネルギーが圧力タンク内に蓄積され得るため、省エネ動作及びエネルギー効率に寄与することができる。いくつかの実施形態では、炭酸化ポンプ１０６は、最小間隔の間従事して、炭酸化ポンプ１０６の始動動作中の電力浪費を低減するように構成されてもよい。いくつかの実施形態では、炭酸化ポンプは、低圧飲料注出のための３０〜４０ＰＳＩの圧力、及び高圧飲料注出のための６０〜１２０ＰＳＩの圧力を圧力タンクにかけることができる。
【００３７】
炭酸飲料ディスペンサを非炭酸飲料ディスペンサに変換するいくつかの方法によれば、圧力調整器２２０はまた、混合ノズル１５４の前に取り付けることもできる。圧力調整器２２０は、飲料が混合ノズル１５４によって注出される前に、飲料の圧力を下げることができる。これにより、飲料があまりに高すぎる圧力で注出されるのを防止する。圧力調整器２２０はまた、注出機構が作動したときに過剰な圧力が急に解放されることを懸念することなく、炭酸化ポンプ１０６が圧力タンクをより高いレベルに加圧することも可能にする。これは、予想される水の発破からユーザを保護することによって、ユーザエクスペリエンスを向上させる。いくつかの実施形態では、圧力調整器２２０は、電磁弁１５２に一体化される。すなわち、電磁弁１５２は、炭酸水の、混合ノズル１５４への解放を制御するだけでなく、炭酸水が適切な圧力で解放されることも確実にする。
【００３８】
図６は、いくつかの実施形態による飲料ディスペンサ４００の斜視図を示す。飲料ディスペンサ４００は、本明細書に開示されたものなどの内部システムを含むことができる。飲料ディスペンサ４００は、ハウジング４０１を含むことができる。ハウジング４０１は、飲料注出システムを密閉することができ、ディスペンサプラットフォーム４０２上に設置することができる。ディスペンサプラットフォーム４０２は、混合ノズル１５４、１５５から滴下し得る飲料又は飲料成分の液滴を集合させるように構成されたドリップシステム４０４を含むことができる。
【００３９】
本明細書に記載された特定の実施形態の前述の記載は、図示及び説明の目的のために提示されている。これらの例示的な実施形態は、網羅的であると意図されたものでも、あるいは開示された正確な形態に実施形態を限定するように意図されたものでもない。記載された全ての特定の詳細が、記載された実施形態を実践するために必要とされるわけではない。
【００４０】
上述の教示の観点から多くの変更形態及び変形形態が可能であること、及び当該技術分野の範囲内の知識を適用することにより、過度の実証をすることなく、本発明の全般的な概念から逸脱することなく、このような特定の実施形態を種々の用途に容易に修正及び／又は適応させ得ることが、当業者に明らかとなるであろう。このような適応及び修正は、本明細書に提示された教示及び指導に基づいて、開示された実施形態の等価物の意味及び範囲内にあることが意図される。
【００４１】
「発明を実施するための形態」の節は、「特許請求の範囲」を解釈するために使用されることを意図している。「発明の概要」及び「要約」のセクションは、出願人が想到したように、本発明の１つ以上の、ただし必ずしもすべてではない、例示的な実施形態について記載し得るものであり、したがって、本発明及び特許請求の範囲を限定することを意図されるものではない。
【００４２】
本明細書で使用された表現法又は用語法は、本明細書の用語法又は表現法が当業者により解釈されるように、説明の目的のためであって限定を意図するものではない。
【００４３】
本開示の幅広さ及び範囲は、上述の例示的な実施形態のいずれによっても限定されるべきではなく、特許請求の範囲、及びそれらの等価物に従ってのみ定義されるべきである。
【図１】
2021522117.tif 000003
【図２】
2021522117.tif 000004
【図３】
2021522117.tif 000005
【図４】
2021522117.tif 000006
【図５】
2021522117.tif 000007
【図６】
2021522117.tif 000008
【国際調査報告】
2021522117.tif 000009